(57)【特許請求の範囲】
【請求項１】
中空状に形成された外装片の内部に中芯を装着することによりバンド駒を構成し、このバンド駒を前記中芯により順次回動可能に連結してなるバンドであって、
前記外装片は、前記バンド駒の連結方向における一端に中空状の凸部が形成され、他端にこれと隣接する前記外装片の凸部が挿入する凹部が形成され、
前記中芯は、前記外装片の凸部に対応する突起部と、前記外装片の凹部に対応する切欠凹部とがそれぞれ形成され、
前記突起部は、前記バンド駒の連結方向と直交する方向の幅がそれと同じ方向の前記外装片の凸部の幅よりも小さく形成され、これにより前記外装片の凸部内における幅方向の両側に空間部を形成し、
前記切欠凹部は、前記外装片の凹部の形状とほぼ同じ形状か、それよりも大きい形状に形成され、
前記切欠凹部の各対向面には、前記外装片の凸部内の前記空間部にその各側面から挿入する連結突起部が対向して設けられ、かつこれら連結突起部の外周面が円弧状の曲面に形成されている
ことを特徴とするバンド。
【請求項２】
前記外装片の凹部は、前記バンド駒の連結方向における切込長さがそれと同じ方向の前記外装片の凸部の突出長さよりも長く形成され、
前記中芯の切欠凹部は、前記バンド駒の連結方向における切欠長さがそれと同じ方向の前記外装片の凹部の切込長さよりも長く形成され、
前記中芯の切欠凹部内には、隣接する前記外装片の凸部の先端面に接触可能な装飾片が配置されている
ことを特徴とする請求項１記載のバンド。
【請求項３】
前記複数のバンド駒の前記中芯のうちのいずれかは、前記複数のバンド駒が連結されたバンド全体の長さを調整する調整用中芯で構成され、
前記調整用中芯は、前記中芯とほぼ同様の突起部、切欠凹部、および連結突起部を有し、かつ前記切欠凹部の対向面における片側の本体部と、他の片側の分離部とに分割形成され、前記本体部に設けられた一方の連結突起部と前記分離部に設けられた他方の連結突起部とを対向させた状態で、前記分離部が前記本体部に圧入により着脱可能に装着された構成であることを特徴とする請求項１記載のバンド。
【請求項４】
前記分離部には、取外用工具が挿入する穴が設けられ、前記調整用中芯の前記外装片には、前記穴に対応する長孔が前記バンド駒の連結方向と直交する方向に長く形成されていることを特徴とする請求項３記載のバンド。
【発明の詳細な説明】
【０００１】
【発明の属する技術分野】
この発明は、時計バンドなどのバンドに関する。
【０００２】
【従来の技術】
従来、時計バンドにおいては、複数の駒を順次連結した構造のものが知られている。図１２および図１３は、その一例を示した図である。この時計バンドは、外駒１、中駒２、および中芯３を備えている。中芯３は、金属板を打抜き加工することにより長方形状に形成されているとともに、その中間部分に長孔４が長手方向に沿って形成されている。外駒１は、中芯３の両端部に巻き付けられて長孔４を露出させた状態でそれぞれ装着されている。中駒２は、金属板からなり、図１３に示すように、その一方の端部を並列に配置された１つの中芯３の長孔４に挿入し、他方の端部を隣接する他の中芯３の長孔４に挿入し、この状態で両側の端部を互いに隣接し合う中芯３の長孔４と平行な縁部５同士を包み込むように折り曲げることにより、隣接する中芯３同士を連結している。
この時計バンドでは、外駒１がそれぞれ装着された中芯３が中駒２により順次連結され、これにより中芯３の長孔４と平行な縁部５がそれぞれ回転軸となり、この回転軸である縁部５を中心に中駒２が相対的に所定角度回動し、腕に装着される。
【０００３】
【発明が解決しようとする課題】
しかしながら、このような従来の時計バンドにおいては、中芯３の長孔４が金属板の打抜き加工により形成されているので、図１３に示すように、中芯３の長孔４と平行な縁部５の断面形状が四角形状に形成され、この断面四角形状の縁部５が回転軸となり、この縁部５を中心に中駒２が相対的に所定角度回動するときに、縁部５のほぼ直角な角部が中駒２の内面に接触するため、中駒２が縁部５を中心に円滑に回転せず、腕に対して良好になじまないことがあるという問題があった。
【０００４】
この発明の課題は、バンド駒を円滑に回動させて腕になじみやすくさせることができるようにすることである。
【０００５】
【課題を解決するための手段】
この発明は、上記課題を解消するために、次のような構成を備えている。
なお、各構成要素には、後述する各実施形態の項で説明される各要素に付されている図面の参照番号などを括弧と共に付す。
請求項１記載の発明は、図１〜図１１に示すように、中空状に形成された外装片（１１）の内部に中芯（１２）を装着することによりバンド駒（１３）を構成し、このバンド駒を前記中芯により順次回動可能に連結してなるバンド（時計バンド１０または３０）であって、
前記外装片（１１）は、前記バンド駒の連結方向における一端に中空状の凸部（１４）が形成され、他端にこれと隣接する前記外装片の凸部（１４）が挿入する凹部（１５）が形成され、
前記中芯（１２）は、前記外装片の凸部（１４）に対応する突起部（１６）と、前記外装片の凹部（１５）に対応する切欠凹部（１７）とがそれぞれ形成され、
前記突起部（１６）は、前記バンド駒の連結方向と直交する方向の幅（Ｓ１）がそれと同じ方向の前記外装片の凸部の幅（Ｂ１）よりも小さく形成され、これにより前記外装片の凸部（１４）内における幅方向の両側に空間部（１４ａ）を形成し、
前記切欠凹部（１７）は、前記外装片の凹部（１５）の形状とほぼ同じか、それよりも大きい形状に形成され、
前記切欠凹部（１７）の各対向面には、前記外装片の凸部内の前記空間部（１４ａ）にその各側面から挿入する連結突起部（１８）が対向して設けられ、かつこれら連結突起部（１８）の外周面が円弧状の曲面に形成されている
ことを特徴とする。
【０００６】
この発明によれば、外装片内に装着された中芯の切欠凹部の各対向面に連結突起部が対向して設けられ、これら連結突起部が外装片の凸部内の各空間部にその各側面から挿入し、この中芯の連結突起部によりバンド駒が順次連結されるとともに、これら連結突起部が各バンド駒の回転軸となり、この回転軸である連結突起部を中心にバンド駒が回動する際、連結突起部の外周面が円弧状の曲面に形成されていることにより、この連結突起部の外周面が外装片の凸部の内面に沿って円滑に摺動するので、連結突起部を中心にバンド駒を円滑に回動させることができ、これにより腕に良好になじませることができる。
この場合、請求項２に記載のごとく、図４および図５に示すように、前記外装片（１１）の凹部（１５）は、前記バンド駒（１３）の連結方向における切込長さ（Ｌ１、Ｌ２）がそれと同じ方向の前記外装片の凸部の突出長さ（Ｔ）よりも長く形成され、前記中芯（１２）の切欠凹部（１７）は、前記バンド駒の連結方向における切欠長さ（Ｌ３）がそれと同じ方向の前記外装片の凹部（１５）の切込長さ（Ｌ１、Ｌ２）よりも長く形成され、前記中芯の切欠凹部（１７）内には、隣接する前記外装片の凸部（１４）の先端面に接触可能な装飾片（１９）が配置されている構成であれば、互いに隣接する外装片のうち、一方の外装片の凹部に他方の外装片の凸部が挿入された状態で、その凹部と凸部との間に隙間が生じても、中芯の切欠凹部内に配置された装飾片の一部が外部に露呈することになり、これにより装飾性に優れたものを得ることができる。
【０００７】
また、請求項３に記載のごとく、図３、図６、図７に示すように、前記複数のバンド駒（１３）の前記中芯（１２）のうちのいずれかは、前記複数のバンド駒が連結されたバンド全体の長さを調整する調整用中芯（２０）で構成され、この調整用中芯（２０）は、前記中芯とほぼ同様の突起部（１６）、切欠凹部（２３）、および連結突起部（１８）を有し、かつ前記切欠凹部（２３）の対向面における片側の本体部（２１）と、他の片側の分離部（２２）とに分割形成され、前記本体部（２１）に設けられた一方の連結突起部（１８）と分離部（２２）に設けられた他方の連結突起部（１８）とを対向させた状態で、前記分離部（２２）が前記本体部（２１）に圧入により着脱可能に装着された構成であれば、調整用中芯の分離部を本体部から分離させて取り外すことにより、中芯によるバンド駒の連結を解除することができ、これにより複数のバンド駒が連結されたバンド全体の長さを調整することができる。
この場合、請求項４に記載のごとく、図３および図８に示すように、前記分離部（２２）には、取外用工具が挿入する穴（２４）が設けられ、前記調整用中芯（２０）の前記外装片（１１）には、前記穴（２４）に対応する長孔（２５）が前記バンド駒の連結方向と直交する方向に長く形成されている構成であれば、外装片の内部に中芯が装着されていても、調整用中芯に対応する外装片の長孔を通して調整用中芯の分離部に設けられた穴に取外用工具を挿入し、この状態で取外用工具を外装片の長孔に沿って移動させることにより、簡単に分離部を本体部から取り外すことができ、これによりバンド全体の長さを容易に調整することができる。
【０００８】
【発明の実施の形態】
［第１実施形態］
以下、図１〜図７を参照して、この発明のバンドを時計バンドに適用した第１実施形態について説明する。
図１は時計バンドの正面図、図２はその側面図、図３はその裏面図である。
この時計バンド１０は、中空状の外装片１１の内部に中芯１２を装着してバンド駒１３を構成し、このバンド駒１３を中芯１２により順次回動可能に連結した構成になっている。
外装片１１は、図１および図２に示すように、金属板からなる中空状のほぼ平板形状に形成されている。すなわち、外装片１１は、図５に示すように、バンド駒１３の連結方向における一端部（図５では右端部）に中空状の凸部１４が形成され、他端部（同図では左端部）に凹部１５が形成され、凸部１４の先端（同図では右端）と、凹部１５の両側に位置する後端（同図では左端）とがそれぞれ上下に連続し、これにより全体が中空状に形成されている。この外装片１１の凸部１４は、バンド駒１３の連結方向と直交する方向の幅Ｂ１がそれと同じ方向の外装片１１の幅Ｂ０よりも小さく形成されている。また、凹部１５は、バンド駒１３の連結方向に隣接する外装片１１の凸部１４が挿入する部分であり、その凸部１４の形状よりも少し大きく形成されている。すなわち、この凹部１５は、バンド駒１３の連結方向と直交する方向の幅Ｂ２が凸部１４の幅Ｂ１とほぼ同じ長さで形成されており、またバンド駒１３の連結方向における上側縁部１５ａの切込長さＬ１がそれと同じ方向の凸部１４の突出長さＴよりも長く形成され、かつ下側縁部１５ｂの切込長さＬ２が凸部１４の突出長さＴとほぼ同じ長さに形成されている。
【０００９】
中芯１２は、金属などの平板からなり、図６および図７に示すように、外装片１１の凸部１４に対応する突起部１６と、外装片１１の凹部１５に対応する切欠凹部１７とが形成されている。突起部１６は、バンド駒１３の連結方向と直交する方向の幅Ｓ１がそれと同じ方向の外装片１１の凸部１４の幅Ｂ１よりも小さく形成され、これにより外装片１１の凸部１４内における幅方向の両側に空間部１４ａを形成する。また、切欠凹部１７は、バンド駒１３の連結方向の切欠長さＬ３が外装片１１の凹部１５の切込長さＬ１、Ｌ２よりも長く形成されているとともに、バンド駒１３の連結方向と直交する方向の幅Ｓ２がそれと同じ方向の外装片１１の凹部１５の幅Ｂ２とほぼ同じか、それよりも少し大きく形成されている。この切欠凹部１７の各対向面には、図４および図７に示すように、外装片１１の凸部１４の幅方向の空間部１４ａ内にその各側面から挿入する連結突起部１８が対向して形成されている。これら連結突起部１８は、外装片１１の凸部１４の空間部１４ａ内に挿入することにより、バンド駒１３を順次回動可能に連結するものであり、その断面形状が円形または楕円形に形成され、これにより外周面が円弧状の曲面に形成されている。また、中芯１２の切欠凹部１７内には、図１および図４に示すように、合成樹脂製の装飾片１９が外装片１１の凸部１４の先端面に接触可能な状態で配置されている。この装飾片１９は、外装片１１の凹部１５の上側縁部１５ａの切込長さＬ１が外装片１１の凸部１４の突出長さＴよりも長く形成されていることにより、これらの間に位置する装飾片１９の一部１９ａが上方に露呈している。
【００１０】
ところで、複数のバンド駒１３を順次連結する中芯１２のうち、そのいずれかは、図１および図３に示すように、バンド駒１３が連結されたバンド全体の長さを調整する調整用中芯２０で構成されている。この調整用中芯２０は、図６および図７に示すように、本体部２１と分離部２２とからなり、切欠凹部２３の切込長さＬ４が外装片１１の凸部１４の突出長さＴとほぼ同じ長さに形成され、これにより装飾片１９が装着されない構成で、これ以外は上述した中芯１２とほぼ同じ構成になっている。すなわち、調整用中芯２０は、切欠凹部２３の対向面における片側（図６および図７では下部側）の本体部２１と、他の片側（同図では上部側）の分離部２２とに分割形成され、本体部２１に形成された一方の連結突起部１８と分離部２２に形成された他方の連結突起部１８とを対向させた状態で、分離部２２の圧入部２２ａが本体部２１の嵌合部２１ａに圧入により着脱可能に装着されるように構成されている。この場合、分離部２２の裏面には、図３および図８に示すように、ドライバーなどの取外用工具（図示せず）が挿入する穴２４が設けられている。また、調整用中芯２０の外装片１１の裏面には、図３に示すように、分離部２２の穴２４に対応する長孔２５がバンド駒１３の連結方向と直交する方向に長く形成されている。
なお、時計バンド１０の一端部（図１および図２では左端部）に位置するバンド駒１３の左端部には、腕時計ケースのバンド取付部（いずれも図示せず）に取り付けられる取付部２６が設けられている。また、時計バンド１０の他端部（同図では右端部）に位置するバンド駒１３には、バンド留め具２７が取り付けられている。
【００１１】
このような時計バンド１０では、外装片１１内に装着された中芯１２の切欠凹部１７の各対向面に連結突起部１８が対向して形成され、これら連結突起部１８が外装片１１の凸部１４内に形成された空間部１４ａにその各側面から挿入し、これにより中芯１２の連結突起部１８によりバンド駒１３が順次連結されるとともに、これら連結突起部１８が外装片１１の回転軸となり、この回転軸である連結突起部１８を中心にバンド駒１３が回動する。このときには、連結突起部１８の外周面が円弧状の曲面に形成されていることにより、この連結突起部１８の外周面が外装片１１の凸部１４の内面に沿って円滑に摺動するので、連結突起部１８を中心にバンド駒１３を円滑に回動させることができ、これにより腕に良好になじませることができる。この場合、外装片１１の凹部１５の上側縁部１５ａの切込長さＬ１が外装片１１の凸部１４の突出長さＴよりも長く形成されていることにより、互いに隣接する外装片１１のうち、一方の外装片１１の凹部１５に他方の外装片１１の凸部１４が挿入された状態で、その凹部１５と凸部１４との間の上面側に隙間（Ｌ１−Ｔ）が生じても、中芯１２の切欠凹部１７内に配置された装飾片１９の一部１９ａが外部に露呈するので、装飾性に優れたものを得ることができる。
【００１２】
また、この時計バンド１０では、複数のバンド駒１３の中芯１２のうちのいずれかが、調整用中芯２０で構成され、この調整用中芯２０が切欠凹部２３の対向面における片側の本体部２１と、他の片側の分離部２２とに分割形成され、本体部２１に形成された一方の連結突起部１８と分離部２２に形成された他方の連結突起部１８とを対向させた状態で、分離部２２の圧入部２２ａが本体部２１の嵌合部２１ａに圧入により着脱可能に装着された構成であるから、調整用中芯２０の分離部２２を本体部２１から分離させて取り外すことにより、中芯１２によるバンド駒１３の連結を解除することができ、これにより複数のバンド駒１３が連結されたバンド全体の長さを調整することができる。このときには、調整用中芯２０の分離部２２の裏面に取外用工具が挿入する穴２４が設けられ、調整用中芯２０に対応する外装片１１の裏面に穴２４と対応する長孔２５がバンド駒１３の連結方向と直交する方向に長く形成されているので、調整用中芯２０に対応する外装片１１の長孔２４を通して調整用中芯２０の分離部２２に設けられた穴２４にドライバーなどの取外用工具を挿入し、この取外用工具を外装片１１の長孔２５に沿って移動させることにより、簡単に分離部２２を本体部２１から取り外すことができ、これによりバンド全体の長さを容易に調整することができる。
【００１３】
［第２実施形態］
次に、図９〜図１１を参照して、この発明のバンドを時計バンドに適用した第２実施形態について説明する。なお、図１〜図８に示された第１実施形態と同一部分には同一符号を付し、その説明は省略する。
この時計バンド３０は、バンド駒１３の連結方向における外装片１１の凸部１４の先端１４ｒ、同方向における外装片１１の凹部１５の底部側先端１５ｒ、同方向における調整用中芯２０の切欠凹部２３の後端２３ｒ、および同方向における装飾片１９の後端１９ｒがそれぞれ曲率半径Ｒの大きい緩やかな円弧状に形成されており、これ以外は第１実施形態と同じ構成になっている。
この場合、外装片１１は、図１０に示すように、凸部１４の裏面側をその中間でバンド駒１３の連結方向と直交する方向に２分割し、この分割された部分をそれぞれ曲率半径Ｒの大きい緩やかな円弧状になるように折り曲げることにより、外装片１１の凸部１４の先端１４ｒが連続する円弧状に形成されている。なお、これ以外の各端部１５ｒ、２３ｒ、１９ｒは、プレスなどの打抜き加工、あるいは成形加工によりそれぞれ曲率半径Ｒの大きい緩やかな円弧状に形成されている。
このような時計バンド３０では、外装片１１の凸部１４の先端１４ｒ、外装片１１の凹部１５の底部側先端１５ｒ、調整用中芯２０の切欠凹部２３の後端２３ｒ、および装飾片１９の後端１９ｒをそれぞれ曲率半径Ｒの大きい緩やかな円弧状に形成したことにより、第１実施形態のものよりも、デザイン的に優れ、商品価値の高いものを得ることができる。
【００１４】
なお、上記第１、第２実施形態では、時計バンド１０、３０について述べたが、これに限らず、万歩計などのリスト部品のバンドとしても、広く用いることができる。
【００１５】
【発明の効果】
以上説明したように、この発明によれば、外装片内に装着された中芯の切欠凹部の各対向面に連結突起部が対向して形成され、これら連結突起部が外装片の凸部内の各空間部にその各側面から挿入し、この中芯の連結突起部によりバンド駒が順次連結されるとともに、これら連結突起部がバンド駒の回転軸となり、この回転軸である連結突起部を中心にバンド駒が回動する際、連結突起部の外周面が円弧状の曲面に形成されていることにより、この連結突起部の外周面が外装片の凸部の内面に沿って円滑に摺動するので、連結突起部を中心にバンド駒を円滑に回動させることができ、これにより腕に良好になじませることができる。
この場合、中芯の切欠凹部内に装飾片を配置することにより、互いに隣接する外装片のうち、一方の外装片の凹部に他方の外装片の凸部が挿入された状態で、その凹部と凸部との間に隙間が生じても、中芯の切欠凹部内に配置された装飾片の一部が外部に露呈することになり、これにより装飾性に優れたものを得ることができる。
【００１６】
また、複数のバンド駒の中芯のうち、複数のバンド駒が連結されたバンド全体の長さを調整する調整用中芯が、切欠凹部の対向面における片側の本体部と、他の片側の分離部とに分割形成され、本体部の連結突起部と分離部の連結突起部とを対向させた状態で、分離部が本体部に圧入により着脱可能に装着されていることにより、調整用中芯の分離部を本体部から分離させて取り外すことにより、中芯によるバンド駒の連結を解除することができ、これにより複数のバンド駒が連結されたバンド全体の長さを調整することができる。このときには、分離部に取付用工具が挿入する穴が設けられ、これに対応する外装片に長孔が分離部の穴に対応させてバンド駒の連結方向と直交する方向に設けられていることにより、外装片の長孔を通して分離部の穴に取外用工具を挿入し、この状態で取外用工具を外装片の長孔に沿って移動させることにより、簡単に分離部を本体部から取り外すことができ、これによりバンド全体の長さを容易に調整することができる。
【図面の簡単な説明】
【図１】この発明のバンドを時計バンドに適用した第１実施形態の一部を破断した正面図。
【図２】図１の側面図。
【図３】図１の時計バンドの一部を破断した裏面図。
【図４】図１のＡ−Ａ線に沿う要部の拡大断面図。
【図５】図１の外装片の拡大斜視図。
【図６】図１の中芯および調整用中芯の拡大正面図。
【図７】図６の分解斜視図。
【図８】図７の調整用中芯の分離部を示した裏面側の斜視図。
【図９】この発明のバンドを時計バンドに適用した第２実施形態の一部を破断した正面図。
【図１０】図９の時計バンドの一部を破断した裏面図。
【図１１】図９の中芯および調整用中芯の拡大正面図。
【図１２】従来の時計バンドを示した正面図。
【図１３】図１２の時計バンドの一部を破断した要部の拡大側面図。
【符号の説明】
１０、３０  時計バンド
１１  外装片
１２  中芯
１３  バンド駒
１４  外装片の凸部
１４ａ  凸部内の空間部
１５  外装片の凹部
１６  中芯の突起部
１７  中芯の切欠凹部
１８  連結突起部
１９  装飾片
２０  調整用中芯
２１  本体部
２２  分離部
２４  分離部の穴
２５  外装片の長孔
【図１】
0004310841.tif 000002
【図２】
0004310841.tif 000003
【図３】
0004310841.tif 000004
【図４】
0004310841.tif 000005
【図５】
0004310841.tif 000006
【図６】
0004310841.tif 000007
【図７】
0004310841.tif 000008
【図８】
0004310841.tif 000009
【図９】
0004310841.tif 000010
【図１０】
0004310841.tif 000011
【図１１】
0004310841.tif 000012
【図１２】
0004310841.tif 000013
【図１３】
0004310841.tif 000014